(57)【特許請求の範囲】
【請求項１】
温度調整された調整空気を外部に放出するための放出口を有する外箱と、
前記外箱の内部に設けられ、洗濯物を洗濯するための水を受ける水受槽と、
前記水受槽の内部に設けられ、洗濯物が投入される洗濯槽と、
前記外箱の内部に設けられ、一端部に入口を有すると共に他端部に出口を有する筒状のメインダクトと、
前記メインダクトの入口を前記水受槽の内部空間に接続するものであって、入口および出口のそれぞれを有する筒状の入口側ダクトと、
前記メインダクトの出口を前記水受槽の内部空間に接続する筒状の出口側ダクトと、
前記入口側ダクトに前記入口側ダクトの入口および前記入口側ダクトの出口相互間に位置して設けられ、前記外箱の放出口に接続された接続口と、
前記接続口を閉鎖する閉鎖状態および前記接続口を開放する開放状態のそれぞれを含む２以上の相互に異なる状態間で移動可能に設けられ、前記開放状態で前記入口側ダクトの入口および前記入口側ダクトの出口相互間を仕切るように前記入口側ダクトの内部に進入すると共に前記閉鎖状態で前記入口側ダクトの入口および前記入口側ダクトの出口相互間を接続するように前記入口側ダクトの内部から退避するダンパと、
前記ダンパを前記２以上の状態相互間で移動操作する駆動源と、
前記メインダクトに設けられ、前記メインダクトの内部空間を前記メインダクトの外部空間に接続するバイパス口と、
前記ダンパの閉鎖状態で運転されることに基づいて前記水受槽の内部の空気を前記入口側ダクトから前記メインダクトの内部に吸引すると共に前記水受槽の外部の空気を前記バイパス口から前記メインダクトの内部に吸引するものであって、前記メインダクトの内部に吸引した空気を前記出口側ダクトを通して前記水受槽の内部に送る乾燥用送風機と、
前記ダンパの開放状態で運転されることに基づいて前記水受槽の外部の空気を前記バイパス口から前記メインダクトの内部に吸引するものであって、前記メインダクトの内部に吸引した空気を前記接続口から前記外箱の放出口を通して放出する空調用送風機と、
前記メインダクトに設けられ、前記空調用送風機の運転時に前記バイパス口を通して前記メインダクトの内部に吸引される空気を加熱するヒータと、
前記メインダクトの内部に設けられ、前記乾燥用送風機の運転時に前記メインダクトの内部を流れる空気を冷却するものであって前記バイパス口に比べて当該空気流の上流側に配置された蒸発器と、
前記メインダクトの内部に設けられ、前記乾燥用送風機の運転時に前記メインダクトの内部を流れる空気を加熱するものであって前記バイパス口に比べて当該空気流の下流側に配置された凝縮器と、
前記メインダクトの外部に設けられ、前記凝縮器および前記蒸発器のそれぞれに冷媒を送る圧縮機と、
使用者が操作することが可能な操作子と、
前記操作子の操作内容に基づいて前記外箱の放出口から温風を放出する暖房コースおよび前記外箱の放出口から冷風を放出する冷房コースのそれぞれを含む複数の運転コースのいずれかを設定するものであって、前記暖房コースおよび前記冷房コースのそれぞれとは異なる特定の運転コースを設定したときには前記ダンパの閉鎖状態で前記乾燥用送風機および前記圧縮機のそれぞれを運転することに基づいて前記メインダクト内を流れる空気を前記蒸発器によって冷却した後に前記凝縮器によって加熱して前記水受槽の内部に洗濯物を乾かす乾燥風として送る制御回路を備え、
前記制御回路は、
前記暖房コースを設定したときには前記ダンパの開放状態で前記ヒータおよび前記空調用送風機のそれぞれを運転することに基づいて前記メインダクトの外部から前記バイパス口を通して前記メインダクトの内部に吸引される空気を前記ヒータによって加熱し、前記ヒータが加熱した空気を前記メインダクトおよび前記接続口のそれぞれを順に通して前記外箱の放出口から放出し、
前記冷房コースを設定したときには前記ダンパの開放状態で前記圧縮機および前記空調用送風機のそれぞれを運転することに基づいて前記メインダクトの外部から前記バイパス口を通して前記メインダクトの内部に吸引した空気を前記蒸発器によって冷却し、前記蒸発器が冷却した空気を前記メインダクトおよび前記接続口のそれぞれを順に通して前記外箱の放出口から放出するものであって、
前記暖房コースまたは前記冷房コースを設定したときには、前記乾燥用送風機を前記空調用送風機の運転状態で運転することに基づいて前記メインダクトの外部から前記バイパス口を通して前記メインダクトの内部に空気を吸込み、前記メインダクトおよび前記出口側ダクトのそれぞれを順に通して前記水受槽の内部に送る処理を行うことを特徴とする洗濯機。
【請求項２】
前記制御回路は、前記暖房コースまたは前記冷房コースを設定したときには前記乾燥用送風機の回転速度を前記空調用送風機の現在の回転速度に応じて設定することを特徴とする請求項１に記載の洗濯機。
【請求項３】
前記外箱の放出口から調整空気が放出されることを許容する開放状態および前記外箱の放出口から調整空気が放出されることをほぼ阻止する閉鎖状態相互間で切換わるシャッタ部材と、
前記シャッタ部材を前記開放状態および前記閉鎖状態相互間で操作する前記駆動源を備え、
前記制御回路は、
前記シャッタ部材の駆動源を制御することに基づいて前記シャッタ部材を操作するものであって、前記シャッタ部材を前記閉鎖状態に操作した状態で前記空調用送風機および前記ヒータのそれぞれを運転する処理を行うことが可能なものであることを特徴とする請求項１および２のいずれかに記載の洗濯機。
【発明の詳細な説明】
【技術分野】
【０００１】
本発明は洗濯槽内の洗濯物を乾かす乾燥機構としてヒートポンプを備えた洗濯機に関する。
【背景技術】
【０００２】
上記洗濯機には外箱の内部に水受槽を収納し、水受槽の内部に洗濯槽を収納した構成のものがある。この水受槽の下方には前後方向へ延びる筒状のメインダクトが固定されている。このメインダクトの前端部は入口側ダクトを介して水受槽の内部空間に接続され、メインダクトの後端部は出口側ダクトを介して水受槽の内部空間に接続されており、乾燥用送風機の運転時には水受槽の内部の空気が入口側ダクトからメインダクトの内部に吸引され、メインダクトの内部を前から後へ流れた後に出口側ダクトを通して水受槽の内部に戻される。このメインダクトの内部には蒸発器および凝縮器が前後方向に並べて収納されている。これら蒸発器および凝縮器のそれぞれは共通の圧縮機から冷媒が送られるものであり、圧縮機および乾燥用送風機のそれぞれの運転時には水受槽の内部の空気が蒸発器によって冷却されることに基づいて除湿された後に凝縮器によって加熱されることに基づいて温風化され、水受槽の内部に洗濯物を乾かすための乾燥風として放出される。
【０００３】
上記洗濯機にはメインダクトのうち蒸発器および凝縮器相互間にヒータ収納室を設けた構成のものがある。このヒータ収納室は上面が開口する凹状をなすものであり、ヒータ収納室の底板にはメインダクトの内部空間およびメインダクトの外部空間を相互に接続するバイパス口が設けられている。この従来の洗濯機の場合には外箱の前板に放出口が設けられ、入口側ダクトに外箱の放出口に通じる接続口が設けられている。この接続口はダンパによって開閉されるものであり、乾燥用送風機とは異なる空調用送風機がダンパの開放状態で運転されたときには水受槽の外部からバイパス口を通してメインダクトの内部に空気が吸引され、メインダクトの内部から接続口および外箱の放出口のそれぞれを順に通して室内に放出される。このヒータ収納室の内部にはヒータが収納されており、空調用送風機をダンパの開放状態でヒータと共に運転する暖房コースが開始されたときにはヒータによって加熱された空調用の温風が外箱の放出口から室内に放出され、空調用送風機をダンパの開放状態で圧縮機と共に運転する冷房コースが開始されたときには蒸発器によって冷却された空調用の冷風が外箱の放出口から室内に放出される。
【特許文献１】特開２００６−２６３６３２号公報
【発明の開示】
【発明が解決しようとする課題】
【０００４】
上記従来の洗濯機の場合、暖房コースおよび冷房コースのそれぞれで空調用送風機が運転されることに基づいて洗濯槽内から出口側ダクトおよびメインダクトのそれぞれを順に通して洗剤分等の臭気が吸引され、臭気が調整空気と共に外箱の放出口から室内に放出されるので、特に暖房コースの設定時に使用者が臭気を感じてしまう虞がある。
【０００５】
本発明は上記事情に鑑みてなされたものであり、その目的は暖房コースまたは冷房コースで洗濯槽内の臭気が外箱の放出口から室内に放出されることを抑えることができる洗濯機を提供することにある。
【課題を解決するための手段】
【０００６】
請求項１記載の洗濯機は、温度調整された調整空気を外部に放出するための放出口を有する外箱と、前記外箱の内部に設けられ洗濯物を洗濯するための水を受ける水受槽と、前記水受槽の内部に設けられ洗濯物が投入される洗濯槽と、前記外箱の内部に設けられ一端部に入口を有すると共に他端部に出口を有する筒状のメインダクトと、前記メインダクトの入口を前記水受槽の内部空間に接続するものであって入口および出口のそれぞれを有する筒状の入口側ダクトと、前記メインダクトの出口を前記水受槽の内部空間に接続する筒状の出口側ダクトと、前記入口側ダクトに前記入口側ダクトの入口および前記入口側ダクトの出口相互間に位置して設けられ前記外箱の放出口に接続された接続口と、前記接続口を閉鎖する閉鎖状態および前記接続口を開放する開放状態のそれぞれを含む２以上の相互に異なる状態間で移動可能に設けられ前記開放状態で前記入口側ダクトの入口および前記入口側ダクトの出口相互間を仕切るように前記入口側ダクトの内部に進入すると共に前記閉鎖状態で前記入口側ダクトの入口および前記入口側ダクトの出口相互間を接続するように前記入口側ダクトの内部から退避するダンパと、前記ダンパを前記２以上の状態相互間で移動操作する駆動源と、前記メインダクトに設けられ前記メインダクトの内部空間を前記メインダクトの外部空間に接続するバイパス口と、前記ダンパの閉鎖状態で運転されることに基づいて前記水受槽の内部の空気を前記入口側ダクトから前記メインダクトの内部に吸引すると共に前記水受槽の外部の空気を前記バイパス口から前記メインダクトの内部に吸引するものであって前記メインダクトの内部に吸引した空気を前記出口側ダクトを通して前記水受槽の内部に送る乾燥用送風機と、前記ダンパの開放状態で運転されることに基づいて前記水受槽の外部の空気を前記バイパス口から前記メインダクトの内部に吸引するものであって前記メインダクトの内部に吸引した空気を前記接続口から前記外箱の放出口を通して放出する空調用送風機と、前記メインダクトに設けられ前記空調用送風機の運転時に前記バイパス口を通して前記メインダクトの内部に吸引される空気を加熱するヒータと、前記メインダクトの内部に設けられ前記乾燥用送風機の運転時に前記メインダクトの内部を流れる空気を冷却するものであって前記バイパス口に比べて当該空気流の上流側に配置された蒸発器と、前記メインダクトの内部に設けられ前記乾燥用送風機の運転時に前記メインダクトの内部を流れる空気を加熱するものであって前記バイパス口に比べて当該空気流の下流側に配置された凝縮器と、前記メインダクトの外部に設けられ前記凝縮器および前記蒸発器のそれぞれに冷媒を送る圧縮機と、使用者が操作することが可能な操作子と、前記操作子の操作内容に基づいて前記外箱の放出口から温風を放出する暖房コースおよび前記外箱の放出口から冷風を放出する冷房コースのそれぞれを含む複数の運転コースのいずれかを設定するものであって前記暖房コースおよび前記冷房コースのそれぞれとは異なる特定の運転コースを設定したときには前記ダンパの閉鎖状態で前記乾燥用送風機および前記圧縮機のそれぞれを運転することに基づいて前記メインダクト内を流れる空気を前記蒸発器によって冷却した後に前記凝縮器によって加熱して前記水受槽の内部に洗濯物を乾かす乾燥風として送る制御回路を備え、前記制御回路は前記暖房コースを設定したときには前記ダンパの開放状態で前記ヒータおよび前記空調用送風機のそれぞれを運転することに基づいて前記メインダクトの外部から前記バイパス口を通して前記メインダクトの内部に吸引される空気を前記ヒータによって加熱し前記ヒータが加熱した空気を前記メインダクトおよび前記接続口のそれぞれを順に通して前記外箱の放出口から放出し、前記冷房コースを設定したときには前記ダンパの開放状態で前記圧縮機および前記空調用送風機のそれぞれを運転することに基づいて前記メインダクトの外部から前記バイパス口を通して前記メインダクトの内部に吸引した空気を前記蒸発器によって冷却し前記蒸発器が冷却した空気を前記メインダクトおよび前記接続口のそれぞれを順に通して前記外箱の放出口から放出するものであって、前記暖房コースまたは前記冷房コースを設定したときには前記乾燥用送風機を前記空調用送風機の運転状態で運転することに基づいて前記メインダクトの外部から前記バイパス口を通して前記メインダクトの内部に空気を吸込み前記メインダクトおよび前記出口側ダクトのそれぞれを順に通して前記水受槽の内部に送る処理を行うところに特徴を有する。
【発明の効果】
【０００７】
暖房コースが設定されたときにはダンパの開放状態でヒータおよび空調用送風機のそれぞれが運転される。これらヒータおよび空調用送風機のそれぞれの運転状態ではメインダクトの外部の空気がヒータによって加熱されることに基づいて温風化され、温風がメインダクトのバイパス口からメインダクトの内部に吸引される。この温風はメインダクトおよび接続口のそれぞれを順に通して外箱の放出口から室内に放出される。冷房コースが設定されたときにはダンパの開放状態で圧縮機および空調用送風機のそれぞれが運転される。これら圧縮機および空調用送風機のそれぞれの運転状態ではメインダクトの外部の空気がバイパス口を通してメインダクトの内部に吸引され、メインダクト内で蒸発器に接触することに基づいて冷風化される。この冷風はメインダクトおよび接続口のそれぞれを順に通して外箱の放出口から室内に放出される。これら暖房コースまたは冷房コースが設定されたときには乾燥用送風機が空調用送風機の運転状態で運転されるので、メインダクトの外部の空気がバイパス口を通してメインダクトの内部に吸引され、メインダクトおよび出口側ダクトのそれぞれを順に通して水受槽の内部に送風される。このため、空調用送風機の送風方向とは逆向きの流れがメインダクト内および出口側ダクト内のそれぞれに生成されるので、洗濯槽内の臭気が出口側ダクト内およびメインダクト内のそれぞれを順に通して空調用の温風または冷風と共に外箱の放出口から室内に放出されることが防止される。
【発明を実施するための最良の形態】
【０００８】
［実施例１］
外箱１は、図１に示すように、底板２と左方の側板３と右方の側板３と前板４と天板５と後板６を相互に組合せることから構成されたものであり、中空な箱状をなしている。この外箱１の底板２には複数のダンパ７が固定されており、複数のダンパ７のそれぞれの上端部には共通の水受槽８が固定されている。これら複数のダンパ７のそれぞれはコイルスプリングおよび油圧シリンダの双方を有するものであり、水受槽８はダンパ７のバネ力および油圧力の双方で制振状態および緩衝状態のそれぞれに支持されている。この水受槽８は後面が閉鎖された有底な円筒状をなすものであり、軸心線ＣＬが前から後へ向って下降する傾斜状態となるように配置されている。この水受槽８の後板には水受槽８の外部に位置してドラムモータ９が装着されている。このドラムモータ９は速度制御可能なＤＣブラシレスモータからなるものであり、ドラムモータ９の回転軸は水受槽８の軸心線ＣＬ上に位置するように水受槽８の内部に突出している。
【０００９】
ドラムモータ９の回転軸には、図１に示すように、ドラム１０が回転不能に固定されている。このドラム１０は洗濯物が投入される洗濯槽に相当するものであり、ドラムモータ９の運転状態ではドラムモータ９の回転軸と一体的に回転する。このドラム１０は後面が閉鎖された有底な円筒状をなすものであり、水受槽８の内部に水受槽８に対して同心状に収納されている。このドラム１０には複数の貫通孔１１が形成されており、ドラム１０の内部空間は複数の貫通孔１１のそれぞれを介して水受槽８の内部空間に接続されている。このドラム１０にはドラム１０の内部に突出する複数のバッフル１２が固定されている。これら複数のバッフル１２のそれぞれはドラム１０が回転することに基づいて軸心線ＣＬを中心に円周方向へ移動するものであり、ドラム１０内に投入された洗濯物は複数のバッフル１２のそれぞれに引掛かりながら円周方向へ移動した後に重力で落下することに基づいて撹拌される。
【００１０】
ドラム１０の前端部には、図１に示すように、ドラム前板１３が固定され、水受槽８の前端部には槽前板１４が固定されている。これらドラム前板１３および槽前板１４のそれぞれは水受槽８に対して同心な円環状をなすものであり、外箱１の前板４にはドラム前板１３および槽前板１４のそれぞれの内部空間に前方から対向する貫通孔状の出入口１５が形成されている。この外箱１の前板４には扉１６が装着されている。この扉１６は出入口１５を閉鎖する閉鎖状態および出入口１５を開放する開放状態相互間で移動可能にされたものであり、洗濯物は扉１６の開放状態でドラム１０の内部に出入口１５と槽前板１４の内部空間とドラム前板１３の内部空間のそれぞれを順に通して投入され、ドラム１０の内部からドラム前板１３の内部空間と槽前板１４の内部空間と出入口１５のそれぞれを順に通して取出される。この扉１６は透明なガラス製の窓および窓を取囲む窓枠を有するものであり、窓枠の後方には窓枠を取囲む筒状のベローズ１７が配置されている。このベローズ１７は槽前板１４に固定されたものであり、扉１６の閉鎖状態ではベローズ１７が扉１６の窓枠に接触することに基づいて水受槽８および扉１６相互間を気密状態に閉塞する。
【００１１】
外箱１の内部には、図１に示すように、給水弁１８が収納されている。この給水弁１８は入口および出口を有するものであり、給水弁１８の入口は水道の蛇口に接続されている。この給水弁１８は注水用ソレノイド１９（図２参照）を駆動源として有するものであり、給水弁１８の出口は注水用ソレノイド１９が通断電されることに基づいて開放状態および閉鎖状態相互間で切換えられる。この給水弁１８の出口は、図１に示すように、注水ケース２０に接続されており、給水弁１８の出口が開放された開放状態では水道水が給水弁１８の出口を通して注水ケース２０内に注入される。この注水ケース２０は外箱１の内部に水受槽８より高所に位置して収納されたものであり、ホースからなる注水口を備えている。この注水口は水受槽８の内部空間に接続されており、給水弁１８の出口から注水ケース２０内に注入された水道水は注水口から水受槽８内に注入される。この注水ケース２０の内部には水道水の流通経路の途中に位置して洗剤ケース２１が収納されている。この洗剤ケース２１は洗剤が投入されるものであり、洗剤ケース２１内の洗剤は注水ケース２０内を流通する水道水と共に注水ケース２０の注水口から水受槽８内に注入される。この洗剤ケース２１は使用者が前方から注水ケース２０内に対して出し入れすることが可能なものであり、洗剤は洗剤ケース２１の取出し状態で洗剤ケース２１内に投入される。
【００１２】
水受槽８には、図１に示すように、最底部に位置して排水管２２の上端部が接続されており、排水管２２には排水弁２３が介在されている。この排水弁２３は排水弁モータ２４（図２参照）を駆動源とするものであり、排水弁モータ２４の回転量に応じて排水管２２を開放する開放状態および排水管２２を閉鎖する閉鎖状態相互間で切換えられる。この排水弁２３の閉鎖状態では注水ケース２０内から水受槽８内に注入された水道水が水受槽８内に貯留され、排水弁２３の開放状態では水受槽８内に貯留された水道水が排水管２２を通して水受槽８の外部に排出される。
【００１３】
外箱１の底板２には、図１に示すように、ユニットケース２５が固定されている。このユニットケース２５は上面が開口するものであり、底板２６と前板２７と後板２８と左方の側板２９と右方の側板２９を有している。このユニットケース２５には水平なユニットカバー３０が固定されている。このユニットカバー３０はユニットケース２５の上面を塞ぐものであり、ユニットケース２５の底板２６と前板２７と後板２８と左方の側板２９と右方の側板２９とユニットカバー３０から前後方向へ延びる水平な四角筒状のメインダクト３１が構成されている。このユニットケース２５には後板２８に位置して貫通孔状の出口３２が形成され、前板２７に位置して貫通孔状の入口３３が形成されている。
【００１４】
ユニットケース２５には、図１に示すように、前板２７の入口３３に位置して前ダクト３４の後端部が接続されている。この前ダクト３４は前後方向へ延びる水平な横通路部３５および上下方向へ延びる垂直な縦通路部３６を相互に連結してなるＬ字状をなすものであり、前ダクト３４には横通路部３５および縦通路部３６相互間の連結部分に位置して前後方向へ延びる筒状の接続口３７が形成されている。この前ダクト３４の縦通路部３６には上下方向へ延びる前ホース３８の下端部が接続されており、前ホース３８の上端部は水受槽８の内部空間に接続されている。この前ダクト３４の縦通路部３６には水平な板状のリントフィルタ３９が装着されている。このリントフィルタ３９は空気が通過可能であって糸屑等の異物が通過不能なものであり、前ダクト３４の縦通路部３６内を流れる風から糸屑等の異物を補足する。この前ダクト３４は入口側ダクトに相当するものである。
【００１５】
前ダクト３４には、図１に示すように、ダンパ４０が左右方向へ延びる水平な軸４１を中心に回動可能に装着されている。このダンパ４０は板状をなすものであり、ステッピングモータからなるダンパモータ４２（図２参照）の回転軸に連結されている。このダンパモータ４２はダンパ４０の駆動源に相当するものであり、ダンパ４０はダンパモータ４２の回転量に応じて閉鎖位置と開放位置と半開位置相互間で回動操作される。このダンパ４０は、図１に二点差線で示すように、開放位置で前ダクト３４の内部空間に水平に介在されるものであり、ダンパ４０が開放位置に操作された状態では前ダクト３４の出口に相当する後端面および前ダクト３４の入口に相当する上端面が相互に遮断され、接続口３７がメインダクト３１に接続される。このダンパ４０は、図１に実線で示すように、閉鎖位置で接続口３７を閉鎖するものであり、ダンパ４０が閉鎖位置に操作された状態ではダンパ４０が前ダクト３４の内部空間から退避し、前ダクト３４の後端面および前ダクト３４の上端面が相互に接続される。このダンパ４０の半開位置は閉鎖位置および開放位置相互間に設定されており、ダンパ４０の半開位置では前ダクト３４の後端面および前ダクト３４の上端面相互間が遮断されることなく接続口３７がメインダクト３１に接続される。
【００１６】
ユニットケース２５の後板２８には、図１に示すように、ファンケーシング４３が固定されている。このファンケーシング４３には貫通孔状の吸気口が形成されており、ファンケーシング４３の吸気口は後板２８の出口３２に接続されている。このファンケーシング４３には乾燥ファンモータ４４が固定されている。この乾燥ファンモータ４４は速度制御可能なＤＣブラシレスモータからなるものであり、ファンケーシング４３の内部に突出する回転軸を有している。この乾燥ファンモータ４４の回転軸にはファンケーシング４３の内部に位置して乾燥ファン４５が回転不能に固定されている。この乾燥ファン４５は軸方向から空気を吸込んで径方向に吐出する遠心式のものであり、ファンケーシング４３の吸気口は乾燥ファン４５に軸方向から対向している。
【００１７】
ファンケーシング４３には、図１に示すように、乾燥ファン４５に径方向から対向する筒状の排気口４６が固定されており、排気口４６には後ダクト４７の下端部が接続されている。この後ダクト４７は出口側ダクトに相当するものであり、上下方向へ延びている。この後ダクト４７の上端部は水受槽８の後板を介して水受槽８の内部空間に接続されており、ダンパ４０が閉鎖位置または半開位置に操作された状態で乾燥ファンモータ４４が運転されたときには乾燥ファン４５が一定方向へ回転することに基づいて水受槽８内の空気が前ホース３８および前ダクト３４のそれぞれを順に通して入口３３からメインダクト３１内に吸引され、メインダクト３１に沿って前から後へ直線的に流れる。この空気はメインダクト３１の出口３２から吸気口を通してファンケーシング４３内に吸引され、ファンケーシング４３の排気口４６から後ダクト４７内を通して水受槽８内に戻される。即ち、前ホース３８と前ダクト３４とメインダクト３１とファンケーシング４３と後ダクト４７は水受槽８の内部空間を始点および終点のそれぞれとする循環風路を構成するものであり、ファンケーシング４３と乾燥ファンモータ４４と乾燥ファン４５は水受槽８内の空気を循環風路に沿って循環させる乾燥用送風機を構成するものである。
【００１８】
前ダクト３４には、図１に示すように、縦通風部３６に位置して貫通孔状のバイパス出口４８が形成されている。このバイパス出口４８はダンパ４０が閉鎖位置と開放位置と半開位置のいずれに操作されているときであっても開放される常開形のものであり、ダンパ４０が閉鎖位置に操作された状態ではバイパス出口４８の下流側で循環風路の通風抵抗が小となるので、乾燥ファンモータ４４が運転されることに基づいて循環風路に沿って循環する風がバイパス出口４８を通して少量だけ前ダクト３４の外部に流出する。このダンパ４０が半開位置に操作された状態ではバイパス出口４８の下流側で循環風路の通風抵抗が大となるので、乾燥ファンモータ４４が運転されることに基づいて循環風路に沿って循環する風がバイパス出口４８を通して多量に前ダクト３４の外部に流出する。
【００１９】
ユニットカバー３０には、図１に示すように、上面が開口する凹状のヒータ収納室４９が形成されており、ヒータ収納室４９の底板には貫通孔状のバイパス入口５０が形成されている。このバイパス入口５０はバイパス口に相当するものであり、ダンパ４０が閉鎖位置に操作された状態で乾燥ファンモータ４４が運転されたときには循環風路に沿って循環する風の少量がバイパス出口４８を通して循環風路の外部に流出するので、メインダクト３１の外部からバイパス入口５０を通してメインダクト３１の内部に流出量に応じた少量の空気が流入する。このダンパ４０が半開位置に操作された状態で乾燥ファンモータ４４が運転されたときには循環風路に沿って循環する風の多量がバイパス出口４８を通して循環風路の外部に流出するので、メインダクト３１の外部からバイパス入口５０を通してメインダクト３１の内部に流出量に応じた多量の空気が流入する。即ち、バイパス出口４８およびバイパス入口５０は乾燥ファンモータ４４の運転時に循環風路の一部を迂回して流れる迂回流を生成するものであり、ダンパモータ４２はダンパ４０を閉鎖位置および半開位置相互間で操作することに基づいて迂回流の流量を調節する。
【００２０】
外箱１の内部には、図１に示すように、ファンケーシング５１が収納されている。このファンケーシング５１は左右方向へ延びる円筒状をなすものであり、ファンケーシング５１には後方へ開口する吸気口および上方へ開口する排気口のそれぞれが形成されている。このファンケーシング５１の吸気口は前ダクト３４の接続口３７に接続されており、ダンパ４０が開放位置および半開位置のそれぞれに操作された状態ではファンケーシング５１およびメインダクト３１相互間が接続口３７を介して接続され、ダンパ４０が閉鎖位置に操作された状態ではファンケーシング５１およびメインダクト３１相互間が遮断される。
【００２１】
ファンケーシング５１の内部には、図１に示すように、左右方向へ延びる空調ファン５２が収納されている。この空調ファン５２は羽根車を貫流して空気を吸込む横流ファンからなるものであり、空調ファンモータ５３（図２参照）の回転軸に連結されている。この空調ファンモータ５３は速度制御可能なＤＣブラシレスモータからなるものであり、ダンパ４０が開放位置に操作された状態で空調ファンモータ５３が運転されたときには空調ファン５２が一定方向へ回転することに基づいて水受槽８の外部の空気がヒータ収納室４９のバイパス入口５０からメインダクト３１内に吸引される。この外気はメインダクト３１に沿って後から前へ流れ、前ダクト３４の接続口３７およびファンケーシング５１の吸気口のそれぞれを順に通してファンケーシング５１の排気口から排出される。この空調ファン５２の風量は乾燥ファン４５に比べて小さく設定されており、空調ファン５２は速度Ｒで回転することに基づいて小流量の風を吐出し、乾燥ファン４５は空調ファン５２と同一の速度Ｒで回転することに基づいて空調ファン５２に比べて大流量の風を吐出する。
【００２２】
外箱１の内部には、図１に示すように、ルーバーケース５４が固定されている。このルーバーケース５４はファンケーシング５１の上方に配置されたものであり、下面に入口５５を有している。このルーバーケース５４の入口５５はファンケーシング５１の排気口に接続されており、ファンケーシング５１の排気口から排出された空気はルーバーケース５４の入口５５からルーバーケース５４内に進入する。このルーバーケース５４は垂直な平面に沿う断面が円弧状の壁部を有するものであり、ルーバーケース５４の円弧状の壁部には貫通孔状の窓部５６が形成され、外箱１の前板４にはルーバーケース５４の窓部５６に前方から対向する放出口５７が形成されている。即ち、ファンケーシング５１と空調ファン５２と空調ファンモータ５３とルーバーケース５４は水受槽８の外部の空気をバイパス入口５０からメインダクト３１の内部に吸引して接続口３７から放出口５７を通して放出する空調用送風機を構成するものである。
【００２３】
ルーバーケース５４の内部には、図１に示すように、シャッタ部材に相当するルーバー５８が収納されている。このルーバー５８は半円筒状をなすものであり、ルーバーケース５４の円弧状の壁部に対して同心な左右方向へ延びる軸５９を中心に回動可能にされている。このルーバー５８には出口部６０および蓋部６１が形成されている。出口部６０はルーバーケース５４の入口５５からルーバーケース５４内に進入した空気を放出するものであり、ルーバー５８の軸５９を中心に径方向へ放射状に延びる複数の板を備えた格子状の部分を称している。この出口部６０の円周方向に沿う長さ寸法はルーバーケース５４の窓部５６の同方向の長さ寸法に比べて小さく設定されており、空気の放出方向は出口部６０の位置を窓部５６の範囲内で変化させることに基づいて調整可能にされている。
【００２４】
ルーバー５８の蓋部６１は出口部６０の時計周り方向に位置する孔の非形成部分を称するものである。この蓋部６１はルーバーケース５４の窓部５６を閉鎖するものであり、蓋部６１の円周方向に沿う長さ寸法は窓部５６の同方向の長さ寸法に比べて大きく設定されている。このルーバー５８は駆動源に相当するルーバーモータ６２（図２参照）の回転軸に連結されている。このルーバーモータ６２はステッピングモータからなるものであり、ルーバー５８の出口部６０がルーバーケース５４の窓部５６に径方向から対向する範囲内でルーバー５８を回動操作することに基づいて空気の放出方向を調整する。このルーバー５８の出口部６０が窓部５６に径方向から対向する状態は開放状態に相当するものであり、ルーバーモータ６２はルーバー５８の蓋部６１がルーバーケース５４の窓部５６に径方向から対向するようにルーバー５８を回動操作することに基づいて窓部５６を閉鎖する。このルーバー５８の蓋部６１が窓部５６を閉鎖する状態は閉鎖状態に相当する。
【００２５】
メインダクト３１のヒータ収納室４９内には、図１に示すように、ヒータに相当する前ヒータ６３および後ヒータ６４が前後方向に相互に並べて収納されている。このヒータ収納室４９の上方にはヒータカバー６５が配置されており、ヒータカバー６５は前ヒータ６３および後ヒータ６４のそれぞれに上方から水がかかることを防止している。このヒータカバー６５はユニットカバー３０に固定されたものであり、乾燥ファンモータ４４および空調ファンモータ５３のそれぞれの運転時には水受槽８の外部の空気がヒータカバー６５およびユニットカバー３０相互間の隙間から水平にヒータ収納室４９内に吸引される。
【００２６】
前ヒータ６３および後ヒータ６４のそれぞれは発熱温度が相互に同一なＰＴＣヒータからなるものであり、ダンパ４０が開放位置に操作された状態で空調ファンモータ５３が運転されたときには水受槽８の外部の空気が前ヒータ６３および後ヒータ６４のそれぞれによって加熱されることに基づいて温風化される。この温風はヒータ収納室４９のバイパス入口５０からメインダクト３１内に吸引され、メインダクト３１に沿って後から前へ流れた後に接続口３７およびファンケーシング５１のそれぞれを順に通してルーバーケース５４内に進入し、ルーバーケース５４の窓部５６が閉鎖されていないときにはルーバー５８の出口部６０から外箱１の放出口５７を通して出口部６０の向きに応じた角度で室内に放出される。
【００２７】
メインダクト３１の内部には、図１に示すように、エバポレータ６６およびコンデンサ６７が前後方向に相互に間隔を置いて収納されている。これらエバポレータ６６およびコンデンサ６７相互間にはヒータ収納室４９のバイパス入口５０が配置されており、ダンパ４０が閉鎖位置または半開位置に操作された状態で乾燥ファンモータ４４が運転されたときには迂回流としてエバポレータ６６を迂回する流れが生成される。これらエバポレータ６６およびコンデンサ６７のそれぞれは蛇行状に曲折された冷媒管および冷媒管の外周面に接合された複数のフィンを有するものであり、エバポレータ６６の冷媒管およびコンデンサ６７の冷媒管は相互に接続されている。このエバポレータ６６は蒸発器に相当するものであり、コンデンサ６７は凝縮器に相当するものであり、エバポレータ６６はコンデンサ６７に比べて乾燥ファン４５が生成する風の流れの上流側に配置されている。
【００２８】
外箱１の内部には、図１に示すように、圧縮機に相当するコンプレッサ６８が固定されている。このコンプレッサ６８はコンプモータ６９（図２参照）を駆動源とするものであり、冷媒を吐出する吐出口および冷媒を吸込む吸込口を有している。このコンプレッサ６８の吐出口にはコンデンサ６７の冷媒管が接続され、コンプレッサ６８の吸込口にはエバポレータ６６の冷媒管が接続されており、コンプモータ６９の運転状態ではコンプレッサ６８の吐出口から吐出された冷媒がコンデンサ６７の冷媒管およびエバポレータ６６の冷媒管のそれぞれを順に通してコンプレッサ６８の吸込口に戻される。
【００２９】
エバポレータ６６は空気を冷却することに基づいて冷風を生成するものであり、ダンパ４０が開放位置に操作された状態で空調ファンモータ５３およびコンプモータ６９のそれぞれが運転されたときには水受槽８の外部の空気がヒータ収納室４９のバイパス入口５０からメインダクト３１内に吸引され、メインダクト３１に沿って後から前へ流れる途中でエバポレータ６６に接触することに基づいて冷風化される。この冷風は接続口３７およびファンケーシング５１のそれぞれを順に通してルーバーケース５４内に進入し、ルーバーケース５４の窓部５６が閉鎖されていないときにはルーバー５８の出口部６０から出口部６０の向きに応じた角度で室内に放出される。
【００３０】
エバポレータ６６とコンデンサ６７とコンプレッサ６８は循環風路に沿って循環する空気を低湿度で高温度な乾燥風に変換するヒートポンプを構成するものであり、ドラム１０内に水分を含んだ未乾燥の洗濯物が存在しているときにはヒートポンプから未乾燥の洗濯物に乾燥風が吹き付けられることに基づいて未乾燥の洗濯物が乾かされる。即ち、ダンパ４０が閉鎖位置または半開位置に操作された状態で乾燥ファンモータ４４およびコンプモータ６９のそれぞれが運転されたときには水受槽８内から高湿度の空気が前ダクト３４を通してメインダクト３１内に吸引される。この高湿度の空気はエバポレータ６６の複数のフィンのそれぞれに接触することに基づいて冷却され、水分が除去される。この低温度の空気はコンデンサ６７の複数のフィンのそれぞれに接触することに基づいて加熱され、水受槽８内に低湿度な温風として注入される。
【００３１】
外箱１の前板４には、図１に示すように、上端部に位置して操作パネル７０が固定されており、操作パネル７０には運転コーススイッチ７１（図２参照）およびスタート／停止スイッチ７２（図２参照）のそれぞれが前方から操作可能に装着されている。これら運転コーススイッチ７１およびスタート／停止スイッチ７２のそれぞれは自己復帰形のプッシュスイッチからなるものであり、図２に示すように、制御回路７３に接続されている。この制御回路７３は外箱１の内部に収納されたものであり、マイクロコンピュータを主体に構成されている。この制御回路７３はＣＰＵとＲＯＭとＲＡＭを有するものであり、ＲＯＭには運転制御プログラムおよび運転制御データのそれぞれが予め記録されている。
【００３２】
制御回路７３には、図２に示すように、モータ駆動回路７４とソレノイド駆動回路７５とモータ駆動回路７６が接続されている。モータ駆動回路７４はドラムモータ９に駆動電源を印加するものであり、制御回路７３のＣＰＵはモータ駆動回路７４を制御することに基づいてドラムモータ９を正方向および逆方向のそれぞれに可変的な速度で回転操作する。ソレノイド駆動回路７５は注水用ソレノイド１９に駆動電源を印加するものであり、制御回路７３のＣＰＵはソレノイド駆動回路７５を制御することに基づいて給水弁１８の出口を開閉操作する。モータ駆動回路７６は排水弁モータ２４に駆動電源を印加するものであり、制御回路７３のＣＰＵはモータ駆動回路７６を制御することに基づいて排水弁２３を開閉操作する。
【００３３】
制御回路７３には、図２に示すように、モータ駆動回路７７とモータ駆動回路７８とモータ駆動回路７９が接続されている。モータ駆動回路７７はダンパモータ４２に駆動電源を印加するものであり、制御回路７３のＣＰＵはモータ駆動回路７７を制御することに基づいてダンパ４０を閉鎖位置と開放位置と半開位置相互間で位置制御する。モータ駆動回路７８は乾燥ファンモータ４４に駆動電源を印加するものであり、制御回路７３のＣＰＵはモータ駆動回路７８を制御することに基づいて乾燥ファンモータ４４を一定方向へ可変的な速度で回転操作する。モータ駆動回路７９は空調ファンモータ５３に駆動電源を印加するものであり、制御回路７３のＣＰＵはモータ駆動回路７９を制御することに基づいて空調ファンモータ５３を一定方向へ可変的な速度で回転操作する。
【００３４】
制御回路７３には、図２に示すように、モータ駆動回路８０とヒータ駆動回路８１とヒータ駆動回路８２とモータ駆動回路８３が接続されている。モータ駆動回路８０はルーバーモータ６２に駆動電源を印加するものであり、制御回路７３のＣＰＵはモータ駆動回路８０を制御することに基づいてルーバー５８を位置制御する。ヒータ駆動回路８１は前ヒータ６３に駆動電源を印加するものであり、制御回路７３のＣＰＵはヒータ駆動回路８１を制御することに基づいて前ヒータ６３をオンオフ制御する。ヒータ駆動回路８２は後ヒータ６４に駆動電源を印加するものであり、制御回路７３のＣＰＵはヒータ駆動回路８２を制御することに基づいて後ヒータ６４をオンオフ制御する。モータ駆動回路８３はコンプモータ６９に駆動電源を印加するものであり、制御回路７３のＣＰＵはモータ駆動回路８３を制御することに基づいてコンプモータ６９を一定方向へ一定速度で回転操作する。
【００３５】
制御回路７３には、図２に示すように、速度センサ８４と速度センサ８５と速度センサ８６が接続されている。速度センサ８４はドラムモータ９のロータマグネットを検出して検出信号を出力するホール素子からなるものであり、制御回路７３のＣＰＵは速度センサ８４から出力される検出信号に基づいてドラムモータ９の回転速度を検出する。速度センサ８５は乾燥ファンモータ４４のロータマグネットを検出して検出信号を出力するホール素子からなるものであり、制御回路７３のＣＰＵは速度センサ８５から出力される検出信号に基づいて乾燥ファンモータ４４の回転速度を検出する。速度センサ８６は空調ファンモータ５３のロータマグネットを検出して検出信号を出力するホール素子からなるものであり、制御回路７３のＣＰＵは速度センサ８６から出力される検出信号に基づいて空調ファンモータ５３の回転速度を検出する。
【００３６】
制御回路７３には、図２に示すように、圧力センサ８７と温風温度センサ８８と室温センサ８９のそれぞれが接続されている。圧力センサ８７は水受槽８内の圧力に応じた圧力信号を出力するものであり、制御回路７３のＣＰＵは圧力センサ８７から出力される圧力信号に基づいて水受槽８内に貯留された水道水の水位を検出する。温風温度センサ８８は、図１に示すように、前ダクト３４の横通路部３５内に収納されたサーミスタからなるものであり、制御回路７３のＣＰＵは水受槽８の内部から前ダクト３４内に吸引される温風の温度であるドラム出口温度ｔｄを温風温度センサ８８から出力される温風温度信号に基づいて検出する。室温センサ８９は外箱１の前板４に固定されたサーミスタからなるものであり、制御回路７３のＣＰＵは室温センサ８９から出力される室温信号に基づいて外箱１が設置された室内の温度である室温ｔｉを検出する。
【００３７】
制御回路７３のＣＰＵは運転コーススイッチ７１が操作されたことを判断すると、運転コーススイッチ７１の操作内容に応じて運転コースを設定する。この運転コーススイッチ７１は操作子に相当するものであり、ＣＰＵは運転コースの設定状態でスタート／停止スイッチ７２が操作されたことを判断したときには運転コースの設定結果に応じた運転制御プログラムを設定し、運転制御プログラムの設定結果を実行する。この制御回路７３のＲＯＭには運転制御データとして乾燥付き標準コースと除菌乾燥付き標準コースと冷房コースと暖房コースのそれぞれを含む複数の運転コースが予め記録されており、ＣＰＵは複数の運転コースのうちから運転コーススイッチ７１の操作内容に応じたものを選択することで運転コースを設定する。これら乾燥付き標準コースおよび除菌乾燥付き標準コースのそれぞれは特定の運転コースに相当するものである。
１．乾燥付き標準コースの説明
乾燥付き標準コースは重量判定処理と水位設定処理と給水処理１と洗い処理と排水処理１と給水処理２とすすぎ処理と排水処理２と脱水処理と乾燥処理を有している。重量判定処理はドラムモータ９が静止状態から正方向へ加速するようにドラムモータ９に電力を供給し、電力の供給を開始してから一定時間が経過したときのドラムモータ９の回転速度を速度センサ８４から出力される検出信号に基づいて実測することで行われるものであり、ドラム１０内の洗濯物の重量は回転速度の検出結果に基づいて高重量と中重量と低重量の３段階で判定される。
【００３８】
水位設定処理は給水処理１および給水処理２のそれぞれで水受槽８内に貯留する水道水の水位を設定するものであり、洗濯物の重量の判定結果に応じて設定される。給水処理１は排水弁２３の閉鎖状態で給水弁１８の出口を開放することに基づいて水道の蛇口から注水ケース２０および洗剤ケース２１のそれぞれを通して水受槽８内に水道水を注入するものであり、洗剤ケース２１内の洗剤は給水処理１で水道水と共に水受槽８内に投入され、給水弁１８の出口は圧力センサ８７から出力される圧力信号が水位の設定結果に到達することに基づいて閉鎖される。
【００３９】
洗い処理はドラムモータ９を回転操作するものであり、ドラム１０内の衣類はバッフル１２によって掻揚げられた後に水受槽８内の貯留水中に落下することで叩き洗いされる。排水処理１は排水弁２３を開放し、洗い処理で使用した水受槽８内の水道水を排水管２２から排出するものである。給水処理２は排水弁２３の閉鎖状態で給水弁１８の出口を開放することに基づいて水道の蛇口から水受槽８内に水道水を注入するものであり、給水弁１８の出口は圧力センサ８７から出力される圧力信号が水位の設定結果に到達することに基づいて閉鎖される。すすぎ処理はドラムモータ９を回転操作するものであり、ドラム１０内の洗濯物はバッフル１２によって掻揚げられた後に水受槽８内の貯留水中に落下することで洗剤分が除去される。排水処理２は排水弁２３を開放し、すすぎ処理で使用した水受槽８内の水道水を排水管２２から排出するものである。脱水処理は排水弁２３の開放状態でドラムモータ９を回転操作するものであり、ドラム１０内の洗濯物からは水分が遠心力で放出され、洗濯物から放出された水分は排水管２２を通して排出される。
【００４０】
図３は乾燥処理の処理内容を説明するためのフローチャートであり、ＣＰＵはステップＳ１でコンプモータ６９の運転を開始することに基づいてコンデンサ６７およびエバポレータ６６のそれぞれに冷媒を流し、ステップＳ２で乾燥ファンモータ４４の運転を開始する。この乾燥ファンモータ４４の運転状態では水受槽８内から高湿度の空気が前ダクト３４を通してメインダクト３１内に吸引され、エバポレータ６６に接触することに基づいて除湿される。この除湿風はコンデンサ６７に接触することに基づいて温風化され、ドラム１０内の未乾燥の洗濯物に吹き付けられる。この乾燥ファンモータ４４の運転状態ではダンパ４０が初期の閉鎖位置に操作されており、水受槽８の内部の空気の少量が前ダクト３４のバイパス出口４８から循環風路の外部に排出され、水受槽８の外部の空気がバイパス入口５０からメインダクト３１の内部に吸引され、エバポレータ６６を迂回する小流量の迂回流が生成される。
【００４１】
ＣＰＵはステップＳ２で乾燥ファンモータ４４を運転開始すると、ステップＳ３で前ヒータ６３を運転開始し、ステップＳ４で後ヒータ６４を運転開始する。これら前ヒータ６３および後ヒータ６４のそれぞれの運転状態では小流量の迂回流が前ヒータ６３および後ヒータ６４のそれぞれによって加熱されることに基づいて温風化され、コンデンサ６７に小流量の温風が供給される。この小流量の温風はコンデンサ６７を加熱するためのものであり、コンデンサ６７の凝縮能力は小流量の温風によって加熱されることに基づいて高められる。
【００４２】
ＣＰＵはステップＳ４で後ヒータ６４を運転開始すると、ステップＳ５で温風温度センサ８８から出力される温風温度信号に基づいてドラム出口温度ｔｄを検出し、ステップＳ６でドラム出口温度ｔｄの検出結果を乾燥終了温度ｔｅと比較する。この乾燥終了温度ｔｅは制御回路７３のＲＯＭに予め記録されたものであり、ＣＰＵはステップＳ６で「ｔｄ≧ｔｅ」を判断したときにはステップＳ７へ移行する。このステップＳ７で前ヒータ６３を運転停止し、ステップＳ８で後ヒータ６４を運転停止し、ステップＳ９でコンプモータ６９を運転停止し、ステップＳ１０で乾燥ファンモータ４４を運転停止し、乾燥処理を終える。即ち、ドラム１０内の洗濯物から湿気が除去されたときにはドラム出口温度ｔｄの検出結果が乾燥終了温度ｔｅに上昇し、乾燥処理が終了する。
２．除菌乾燥付き標準コースの説明
除菌乾燥付き標準コースは重量判定処理と水位設定処理と給水処理１と洗い処理と排水処理１と給水処理２とすすぎ処理と排水処理２と脱水処理と除菌乾燥処理を当該順序で実行するものであり、乾燥処理に換えて除菌乾燥処理が実行される点で乾燥付き標準コースと相違する。図４は除菌乾燥処理の処理内容を説明するためのフローチャートであり、ＣＰＵはステップ１でコンプモータ６９を運転開始したときにはステップＳ１１へ移行し、ダンパモータ４２を運転することに基づいてダンパ４０を初期の閉鎖位置から半開位置に回動操作する。そして、ステップＳ２へ移行し、乾燥ファンモータ４４を運転開始する。この乾燥ファンモータ４４の運転状態ではダンパ４０が半開位置に操作されており、図３の乾燥処理に比べて多量の空気が前ダクト３４のバイパス出口４８から循環風路の外部に排出され、図３の乾燥処理に比べて多量の空気がバイパス入口５０からメインダクト３１の内部に吸引され、エバポレータ６６を迂回する大流量の迂回流が生成される。
【００４３】
ＣＰＵは図４のステップＳ２で乾燥ファンモータ４４を運転開始すると、ステップＳ３で前ヒータ６３を運転開始し、ステップＳ４で後ヒータ６４を運転開始する。これら前ヒータ６３および後ヒータ６４のそれぞれの運転状態では大流量の迂回流が前ヒータ６３および後ヒータ６４のそれぞれによって加熱され、大流量の温風がコンデンサ６７の上流側で生成される。この大流量の温風はメインダクト３１内の風の温度を図３の乾燥処理に比べて高めるものであり、除菌乾燥処理では図３の乾燥処理に比べて高温な除菌用の乾燥風が水受槽８内に注入される。
【００４４】
ＣＰＵは図４のステップＳ４で後ヒータ６４を運転開始すると、ステップＳ５で温風温度センサ８８から出力される温風温度信号に基づいてドラム出口温度ｔｄを検出し、ステップＳ１２でドラム出口温度ｔｄの検出結果をＲＯＭに予め記録された除菌乾燥終了温度ｔｚと比較する。この除菌乾燥終了温度ｔｚは乾燥終了温度ｔｅに比べて高く設定されたものであり、ＣＰＵはステップＳ１２で「ｔｄ≧ｔｚ」を判断したときにはステップＳ７〜ステップＳ１０のそれぞれを順に実行する。そして、ステップＳ１３でダンパモータ４２を運転することに基づいてダンパ４０を半開位置から初期の閉鎖位置に戻し、除菌乾燥処理を終える。
３．暖房コースの説明
図５は暖房コースが設定されたときの制御回路７３の処理内容を示すものであり、ＣＰＵはステップＳ２１でダンパモータ４２を運転することに基づいてダンパ４０を初期の閉鎖位置から開放位置に回動操作し、ステップＳ２２でルーバーモータ６２の運転を開始する。このルーバーモータ６２の運転は制御回路７３のＲＯＭに予め記録された自動風向パターンで行われるものである。この自動風向パターンはルーバー５８の出口部６０がルーバーケース５４の窓部５６に径方向から対向する範囲内でルーバー５８を時計回り方向および反時計回り方向に往復操作するものであり、ルーバーモータ６２が自動風向パターンで運転されているときにはルーバーケース５４の窓部５６が常に開放されている。
【００４５】
ＣＰＵはステップＳ２２でルーバーモータ６２を運転開始すると、ステップＳ２３で前ヒータ６３を運転開始し、ステップＳ２４で後ヒータ６４を運転開始し、ステップＳ２５で空調ファンモータ５３を運転開始する。この空調ファンモータ５３の運転はＲＯＭに予め記録された初期速度Ｒａ１で開始されるものであり、空調ファンモータ５３が初期速度Ｒａ１で運転開始されたときには水受槽８の外部の空気が前ヒータ６３および後ヒータ６４のそれぞれによって加熱されることに基づいて温風化される。この温風はヒータ収納室４９のバイパス入口５０からメインダクト３１内に吸引され、ファンケーシング５１およびルーバーケース５４のそれぞれを順に通してルーバー５８の出口部６０から出口部６０の現在の向きに応じた角度で室内に放出される。
【００４６】
ＣＰＵはステップＳ２５で空調ファンモータ５３を運転開始すると、ステップＳ２６で乾燥ファンモータ４４を運転開始する。この乾燥ファンモータ４４の運転はＲＯＭに予め記録された初期速度Ｒｄ１（＜Ｒａ１）で行われるものであり、乾燥ファンモータ４４が初期速度Ｒｄ１で運転開始されたときには水受槽８の外部の空気が前ヒータ６３および後ヒータ６４のそれぞれを通してバイパス入口５０からメインダクト３１内に吸引され、メインダクト３１内を前から後に流れる。この温風はファンケーシング４３内から後ダクト４７内を通して水受槽８内に送風され、前ホース３８内から前ダクト３４内に流入した後にバイパス出口４８から排出される。
【００４７】
ＣＰＵはステップＳ２６で乾燥ファンモータ４４を運転開始すると、ステップＳ２７で室温センサ８９から出力される室温信号に基づいて室温ｔｉを検出する。そして、ステップＳ２８へ移行し、空調ファンモータ５３を室温ｔｉの検出結果に基づいて速度制御する。図６は制御回路７３のＲＯＭに予め記録された暖房コース用の速度制御データである。この速度制御データは室温ｔｉと乾燥ファンモータ４４の回転速度と空調ファンモータ５３の回転速度の３者の相関関係を特定するものであり、ＣＰＵは図５のステップＳ２８で室温ｔｉの検出結果に応じた空調ファンモータ５３の回転速度を図６の速度制御データから選択し、空調ファンモータ５３を回転速度の検出結果に応じた速度で運転する。例えば室温ｔｉの検出結果が「ｔ（例えば２０℃）−Δｔ（例えば５℃）≦ｔｉ＜ｔ＋Δｔ」であるときには回転速度「２７００ｒｐｍ」が選択され、空調ファンモータ５３が回転速度「２７００ｒｐｍ」で運転される。
【００４８】
ＣＰＵは図５のステップＳ２８で空調ファンモータ５３を速度制御すると、ステップＳ２９で乾燥ファンモータ４４を速度制御する。この乾燥ファンモータ４４の速度制御は空調ファンモータ５３の現在速度に応じた回転速度を図６の速度制御データから選択し、乾燥ファンモータ４４を回転速度の選択結果で運転するものであり、例えば空調ファンモータ５３の現在速度が「２７００ｒｐｍ」に設定されているときには回転速度「３００ｒｐｍ」が選択され、乾燥ファンモータ４４が回転速度「３００ｒｐｍ」で運転される。この乾燥ファンモータ４４は空調ファン５２の送風方向とは逆向きの流れをメインダクト３１内および後ダクト４７内のそれぞれに生成するために運転されるものであり、ドラム１０内の臭気が空調用の温風と共にルーバー５８の出口部６０から室内に送風されることは乾燥ファンモータ４４が空調ファンモータ５３と共に運転されることに基づいて防止されている。
【００４９】
ＣＰＵは図５のステップＳ２９で乾燥ファンモータ４４を速度制御すると、ステップＳ３０でスタート／停止スイッチ７２がオンされているか否かを判断する。例えば使用者がスタート／停止スイッチ７２を操作したときにはＣＰＵはステップＳ３０でスタート／停止スイッチ７２がオンされていることを判断し、ステップＳ３１で乾燥ファンモータ４４を運転停止する。そして、ステップＳ３２でルーバーモータ６２の運転状態を自動風向パターンから切換えることに基づいてルーバー５８の蓋部６１をルーバーケース５４の窓部５６に径方向から対向させ、ルーバーケース５４の窓部５６を閉鎖する。この窓部５６の閉鎖状態では温風がルーバーケース５４の窓部５６から室内に僅かしか放出されず、メインダクト３１内とファンケーシング５１内とルーバーケース５４内のそれぞれに温風の大半が滞留するので、メインダクト３１内〜ルーバーケース５４内のそれぞれの温度が上昇する。このメインダクト３１内に温風の大半を滞留させるルーバー５８の閉鎖状態をほぼ閉鎖と称する。
【００５０】
ＣＰＵはステップＳ３２でルーバーケース５４の窓部５６を閉鎖すると、ステップＳ３３で温風温度センサ８８から出力される温風温度信号に基づいてドラム出口温度ｔｄを検出し、ステップＳ３４でドラム出口温度ｔｄの検出結果をＲＯＭに予め記録された殺菌温度ｔｋ（例えば７０℃）と比較する。この殺菌温度ｔｋは大腸菌および黄色ブドウ球菌等の臭い成分の原因となる菌を滅菌することが可能な温度であり、ＣＰＵはステップＳ３４で「ｔｄ≧ｔｋ」を判断したときにはステップＳ３５へ移行し、タイマＴを「０」にリセットする。このタイマＴはＣＰＵが一定の時間間隔でタイマ割込み処理を起動し、タイマ割込み処理を起動する毎にＲＯＭに予め記録された単位値（例えば１）だけ加算するものであり、ドラム出口温度ｔｄの検出結果が殺菌温度ｔｋに到達したことを基準とする経過時間を示している。
【００５１】
ＣＰＵはステップＳ３５でタイマＴをリセットすると、ステップＳ３６で温風温度センサ８８から出力される温風温度信号に基づいてドラム出口温度ｔｄを検出し、前ヒータ６３および後ヒータ６４のそれぞれをドラム出口温度ｔｄの検出結果に基づいてオンオフ制御する。これら前ヒータ６３および後ヒータ６４のそれぞれのオンオフはドラム出口温度ｔｄの検出結果が殺菌温度ｔｋを基準とする予め決められた範囲内（例えばｔｋ≦ｔｄ≦ｔｋ＋５℃）に収束するように行われるものであり、ＣＰＵは前ヒータ６３および後ヒータ６４のそれぞれをオンオフ制御することに基づいてメインダクト３１内を殺菌することが可能な温度帯域（ｔｋ〜ｔｋ＋５℃）にコントロールし、エバポレータ６６を殺菌温度で加熱する。
【００５２】
ＣＰＵはステップＳ３６で前ヒータ６３および後ヒータ６４のそれぞれを温度コントロールすると、ステップＳ３７でタイマＴの加算結果をＲＯＭに予め記録された殺菌時間Ｔｋ（例えば１０分）と比較する。ここで「Ｔ＝Ｔｋ」を判断したときにはステップＳ３８で前ヒータ６３を運転停止し、ステップＳ３９で後ヒータ６４を運転停止する。そして、ステップＳ４０で空調ファンモータ５３を運転停止し、ステップＳ４１でダンパモータ４２を運転することに基づいてダンパ４０を閉鎖位置に戻し、暖房コースを終える。
４．冷房コースの説明
図７は冷房コースが設定されたときの制御回路７３の処理内容を示すものであり、ＣＰＵはステップＳ５１でダンパモータ４２を運転することに基づいてダンパ４０を初期の閉鎖位置から開放位置に回動操作し、ステップＳ５２でルーバーモータ６２を自動風向パターンで運転開始する。そして、ステップＳ５３でコンプモータ６９を運転開始し、ステップＳ５４で空調ファンモータ５３を初期速度Ｒａ１で運転開始する。この空調ファンモータ５３が運転開始されたときには水受槽８の外部の空気がヒータ収納室４９のバイパス入口５０からメインダクト３１内に吸引され、エバポレータ６６に接触することに基づいて冷風化される。この冷風はファンケーシング５１およびルーバーケース５４のそれぞれを順に通してルーバー５８の出口部６０から出口部６０の現在の向きに応じた角度で室内に放出される。
【００５３】
ＣＰＵはステップＳ５４で空調ファンモータ５３を運転開始すると、ステップＳ５５で乾燥ファンモータ４４を初期速度Ｒｄ１（＜Ｒａ１）で運転開始する。この乾燥ファンモータ４４が運転開始されたときには水受槽８の外部の空気がバイパス入口５０からメインダクト３１内に吸引され、メインダクト３１内を前から後に流れる。この常温風はファンケーシング４３内から後ダクト４７内を通して水受槽８内に送風され、前ホース３８内から前ダクト３４内に流入した後にバイパス出口４８から排出される。
【００５４】
ＣＰＵはステップＳ５５で乾燥ファンモータ４４を運転開始すると、ステップＳ５６で室温センサ８９から出力される室温信号に基づいて室温ｔｉを検出する。そして、ステップＳ５７へ移行し、空調ファンモータ５３を室温ｔｉの検出結果に基づいて速度制御する。図８は制御回路７３のＲＯＭに予め記録された冷房コース用の速度制御データである。この速度制御データは室温ｔｉと乾燥ファンモータ４４の回転速度と空調ファンモータ５３の回転速度の３者の相関関係を特定するものであり、ＣＰＵは図７のステップＳ５７で室温ｔｉの検出結果に応じた空調ファンモータ５３の回転速度を図８の速度制御データから選択し、空調ファンモータ５３を回転速度の検出結果に応じた速度で運転する。例えば室温ｔｉの検出結果が「ｔ＋Δｔ≦ｔｉ＜ｔ＋２Δｔ」であるときには回転速度「３０００ｒｐｍ」が選択され、空調ファンモータ５３が回転速度「３０００ｒｐｍ」で運転される。
【００５５】
ＣＰＵは図７のステップＳ５７で空調ファンモータ５３を速度制御すると、ステップＳ５８で乾燥ファンモータ４４を速度制御する。この乾燥ファンモータ４４の速度制御は空調ファンモータ５３の現在速度に応じた回転速度を図８の速度制御データから選択し、乾燥ファンモータ４４を回転速度の選択結果で運転するものであり、例えば空調ファンモータ５３の現在速度が「３０００ｒｐｍ」に設定されているときには回転速度「４００ｒｐｍ」が選択され、乾燥ファンモータ４４が回転速度「４００ｒｐｍ」で運転される。この乾燥ファンモータ４４は空調ファン５２の送風方向とは逆向きの流れをメインダクト３１内および後ダクト４７内のそれぞれに生成するために運転されるものであり、ドラム１０内の臭気が空調用の冷風と共にルーバー５８の出口部６０から室内に送風されることは乾燥ファンモータ４４が空調ファンモータ５３と共に運転されることに基づいて防止されている。
【００５６】
ＣＰＵは図７のステップＳ５８で乾燥ファンモータ４４を速度制御すると、ステップＳ５９でスタート／停止スイッチ７２がオンされているか否かを判断する。例えば使用者がスタート／停止スイッチ７２を操作したときにはＣＰＵはステップＳ５９でスタート／停止スイッチ７２がオンされていることを判断し、ステップＳ６０で乾燥ファンモータ４４を運転停止する。そして、ステップＳ６１でコンプモータ６９を運転停止し、ステップＳ６２で空調ファンモータ５３を運転停止し、ステップＳ６３でダンパモータ４２を運転することに基づいてダンパ４０を初期の閉鎖位置に戻し、冷房コースを終える。
【００５７】
上記実施例１によれば次の効果を奏する。
暖房コースが設定されたときには乾燥ファンモータ４４を空調ファンモータ５３の運転状態で運転したので、メインダクト３１の外部の空気がバイパス入口５０を通してメインダクト３１の内部に吸引され、メインダクト３１および後ダクト４７のそれぞれを順に通して水受槽８の内部に送風される。このため、空調ファン５２の送風方向とは逆向きの流れがメインダクト３１内および後ダクト４７内のそれぞれに形成されるので、ドラム１０内の臭気が後ダクト４７およびメインダクト３１のそれぞれを順に通して空調用の温風と共に外箱１の放出口５７から室内に放出されることが防止される。この効果は冷房コースの設定時についても同様である。
【００５８】
暖房コースで乾燥ファンモータ４４の回転速度を空調ファンモータ５３の現在の回転速度に応じて設定した。このため、空調ファンモータ５３の回転速度が室温ｔｉの検出結果に応じて段階的に変化することに連動して乾燥ファンモータ４４の回転速度が段階的に変化するようになるので、乾燥ファン４５の送風圧および空調ファン５２の送風圧相互間を常にバランスさせることができる。従って、温風の一部が水受槽８内に逆流することに基づいて外箱１の放出口５７から放出される温風の流量が減少することが防止されるので、温風を外箱１の放出口５７から室内に効率良く放出することができる。この効果は冷房コースについても同様である。
【００５９】
暖房コースが終了したときにはルーバー５８を閉鎖状態に操作した状態で空調ファンモータ５３と前ヒータ６３と後ヒータ６４のそれぞれを運転したので、温風がルーバーケース５４の窓部５６から室内に僅かしか放出されずに温風の大半がメインダクト３１内に滞留するようになる。このため、メインダクト３１内のエバポレータ６６が殺菌温度ｔｋで加熱さるので、エバポレータ６６に付着した菌を滅菌することができる。このエバポレータ６６は乾燥ファン４５が生成する循環風の上流側に配置されたものであり、エバポレータ６６には乾燥ファンモータ４４が運転されることに基づいて糸屑が付着することがある。この糸屑がエバポレータ６６に付着したまま長期間が経過したときには菌が発生し、臭気の原因となり得る。この臭気の原因となる菌を滅菌することができるので、この点からも暖房コースおよび冷房コースのそれぞれで外箱１の放出口５７から室内に臭気が放出されることを防止することができる。
【００６０】
暖房コースでドラム出口温度ｔｄの検出結果が殺菌温度ｔｋに上昇したことを基準に殺菌時間Ｔｋが経過することに基づいて暖房コースを終えたので、殺菌時間ＴｋをタイマＴによって計測する簡単な制御でエバポレータ６６を除菌することができる。温風温度センサ８８から出力される温風温度信号に基づいてドラム出口温度ｔｄを検出し、前ヒータ６３および後ヒータ６４のそれぞれをドラム出口温度ｔｄの検出結果に基づいてオンオフ制御した。このため、エバポレータ６６が室温の高低に拘らず除菌可能な温度帯域に収束するので、エバポレータ６６の除菌性能が高まる。
【００６１】
上記実施例１においては、制御回路７３が図５のステップＳ３４で「ドラム出口温度ｔｄ≧殺菌温度ｔｋ」を判断することに基づいてステップＳ３８へ移行し、暖房コースを終える構成としても良い。
【００６２】
上記実施例１においては、図５のステップＳ３６で温風温度センサ８８から出力される温風温度信号が除菌可能な温度帯域（７０℃〜７５℃）に収束するように空調ファンモータ５３の回転速度を制御しても良い。この構成の場合、エバポレータ６６が室温の高低に拘らず除菌可能な温度帯域に収束するので、エバポレータ６６の除菌性能が高まる。
【００６３】
上記実施例１においては、制御回路７３が運転コーススイッチ７１の操作内容に応じて除菌コースを設定し、除菌コースの設定状態でスタート／停止スイッチ７２の操作を判断することに基づいて除菌コースを開始する構成としても良い。この除菌コースはダンパ４０を開放位置に操作し且つルーバーケース５４の窓部５６を閉鎖した状態で空調ファンモータ５３と前ヒータ６３と後ヒータ６４のそれぞれを運転し、エバポレータ６６を殺菌可能な温度帯域（例えば７０℃〜７５℃）に加熱するものであり、除菌コースはドラム出口温度ｔｄの検出結果が殺菌温度（例えば７０℃）に上昇したことを基準に殺菌時間（例えば１０分）が経過することに基づいて自動的に停止すると良い。
【００６４】
上記実施例１においては、図７の冷房コースのステップＳ６１でコンプモータ６９を運転停止したときにはルーバーケース５４の窓部５６を閉鎖し、前ヒータ６３および後ヒータ６４のそれぞれを運転開始することに基づいてエバポレータ６６を殺菌可能な温度帯域（例えば７０℃〜７５℃）に加熱しても良い。即ち、冷房コースが終了したときには除菌コースを自動的に開始する構成としても良い。
【００６５】
上記実施例１においては、メインダクト３１のヒータ収納室４９内に前ヒータ６３および後ヒータ６４の両者に換えて１個のヒータを収納しても良い。
上記実施例１においては、ルーバー５８の閉鎖状態で空調ファンモータ５３と前ヒータ６４と後ヒータ６４のそれぞれを運転することに基づいてエバポレータ６６を殺菌する除菌時に乾燥ファンモータ４４を空調ファンモータ５３と同時に運転し、後ダクト４７および水受槽８のそれぞれを順に流れる風を生成しても良い。
【００６６】
上記実施例１においては、冷房コースが設定されたときには乾燥ファンモータ４４を空調ファンモータ５３の運転状態で運転せず、空調ファン５２とは逆向きの流れを形成しない構成としても良い。
【図面の簡単な説明】
【００６７】
【図１】実施例１を示す図（洗濯機の内部構成を示す断面図）
【図２】電気的構成を示すブロック図
【図３】制御回路の処理内容を示すフローチャート（乾燥処理）
【図４】制御回路の処理内容を示すフローチャート（除菌乾燥処理）
【図５】制御回路の処理内容を示すフローチャート（暖房コース）
【図６】制御回路に記録された暖房コース用の制御データを示す図
【図７】制御回路の処理内容を示すフローチャート（冷房コース）
【図８】制御回路に記録された冷房コース用の制御データを示す図
【符号の説明】
【００６８】
１は外箱、８は水受槽、１０はドラム（洗濯槽）、３１はメインダクト、３２は出口、３３は入口、３４は前ダクト（入口側ダクト）、３７は接続口、４０はダンパ、４２はダンパモータ（駆動源）、４７は後ダクト（出口側ダクト）、５０はバイパス入口（バイパス口）、５７は放出口、５８はルーバー（シャッタ部材）、６２はルーバーモータ（駆動源）、６３は前ヒータ（ヒータ）、６４は後ヒータ（ヒータ）、６６はエバポレータ（蒸発器）、６７はコンデンサ（凝縮器）、６８はコンプレッサ（圧縮機）、７１は運転コーススイッチ（操作子）、７３は制御回路を示している。
【図１】
0004825760.tif 000002
【図２】
0004825760.tif 000003
【図３】
0004825760.tif 000004
【図４】
0004825760.tif 000005
【図５】
0004825760.tif 000006
【図６】
0004825760.tif 000007
【図７】
0004825760.tif 000008
【図８】
0004825760.tif 000009